(57)【要約】【課題】各種電子機器の遠隔操作に用いられる表示装置及びこれを用いたリモコン送信機に関し、視認性の良好なものを提供することを目的とする。【解決手段】ケース１１の略箱型の保持部１２内底面に切欠部１２Ｂを設けると共に、この切欠部１２Ｂにケース１１裏面に貼付されたパネル１６に塗布した接着剤７を延出させることによって、使用中に誤まって塵埃や糸屑１０等が保持部１２の開口孔１２Ａ内に侵入した場合でも、接着剤７が延出した切欠部１２Ｂの露出部１６Ｃにこれらが付着し、持ち運んだり操作する度に開口孔内を移動することがないため、パネル１６の透視部１６Ａを通した表示素子３の視認を妨げることがなく、視認性の良好な表示装置及びこれを用いたリモコン送信機を得ることができる。【選択図】図１
2005223386.tif 000002
【特許請求の範囲】
【請求項１】
底面に開口孔を有する略箱型の保持部が形成されたケースと、このケースの保持部に装着された表示素子と、上記ケース裏面に貼付されたパネルからなり、上記ケースの保持部内底面に切欠部を設けると共に、この切欠部に上記パネルに塗布した接着剤を延出させた表示装置。
【請求項２】
請求項１記載の表示装置のケースに、表示素子に接続され複数のスイッチ接点が形成された配線基板を装着すると共に、この配線基板に上記スイッチ接点の電気的接離に応じてリモコン信号を送信する制御回路を形成したリモコン送信機。
【発明の詳細な説明】
【技術分野】
【０００１】
本発明は、テレビやビデオ、エアコン等の各種電子機器の遠隔操作に用いられる表示装置及びこれを用いたリモコン送信機に関するものである。
【背景技術】
【０００２】
近年、テレビやビデオ、エアコン等の各種電子機器の多様化・高機能化が進むなか、これらを遠隔操作するリモコン送信機等の表示装置においても、数字や文字等を表示素子に表示させ、これらを用いて様々な操作を行なえるようにしたものが増えている。
【０００３】
このような従来の表示素子及びこれを用いたリモコン送信機について、図３及び図４を用いて説明する。
【０００４】
図３は従来のリモコン送信機の断面図、図４は同分解斜視図であり、同図において、１は略箱状で絶縁樹脂製のケースで、底面に開口孔２Ａを有する略箱型の保持部２が設けられると共に、内底面には複数の貫通孔１Ａが形成されている。
【０００５】
また、３は液晶等の表示素子で、上面端部には複数の電極３Ａが所定間隔で形成されると共に、表示素子３の外形よりもやや大きな形状に形成されたケース１の保持部２内に、下面の表示面が開口孔２Ａから露出するように装着されている。
【０００６】
そして、４は上下面に複数の配線パターン（図示せず）が形成された配線基板で、下面には配線パターンに接続された複数の導電部４Ａが所定間隔で設けられ、この配線基板４がケース１上面を覆うように、ネジ等によってケース１に装着固定されている。
【０００７】
また、５は弾性接続体で、導電層と絶縁層が所定間隔で横方向に積層されて形成されると共に、この弾性接続体５が上下方向にやや撓んだ状態で配線基板４と表示素子３の間に装着され、導電層の上下端が導電部４Ａと電極３Ａに弾接することで、複数の導電部４Ａと電極３Ａが電気的に接続されている。
【０００８】
さらに、６はシート状で絶縁樹脂製のパネルで、透明な透視部６Ａや複数の貫通孔６Ｂ以外の上面には、文字や記号等が印刷されると共に、接着剤７が塗布され、この接着剤７によってパネル６がケース１裏面に、透視部６Ａから表示素子３下面の表示面が視認可能なように貼付されて、表示装置が構成されている。
【０００９】
また、８はケース１内に収納された弾性樹脂等の操作体で、上面にはカーボン等の複数の可動接点８Ａが形成されると共に、下面にはドーム状の複数の押圧部８Ｂが形成され、この押圧部８Ｂがケース１の貫通孔１Ａやパネル６の貫通孔６Ｂを通って、下方へ突出している。
【００１０】
そして、配線基板４下面には、操作体８の可動接点８Ａと所定の間隙を空けて対向する複数の固定接点４Ｂが設けられて、スイッチ接点が形成されると共に、発光ダイオード９Ａやマイコン（図示せず）等の電子部品が実装され、リモコン信号を送信する制御回路９が形成されて、リモコン送信機が構成されている。
【００１１】
以上の構成において、このリモコン送信機を電子機器に向け、例えば、電源用や音量切換用等の所定の押圧部８Ｂを押圧操作すると、この押圧部８Ｂの可動接点８Ａが固定接点４Ｂに接触してスイッチ接点の電気的接離が行なわれ、これに対応した赤外線のリモコン信号が制御回路９から電子機器へ送信されて、電子機器の電源の入／切や音量の増減等が遠隔操作によって行なわれる。
【００１２】
また、運転や録画等の開始時間や終了時間を設定する場合には、所定の押圧部８Ｂを押圧操作して、表示素子３に時間を表示して設定を行ない、この後、これらの時間をリモコン信号として電子機器へ送信し記憶させることによって、所定の時間になると電子機器の運転や録画等が開始されたり、終了するように構成されているものであった。
【００１３】
なお、この出願の発明に関連する先行技術文献情報としては、例えば、特許文献１が知られている。
【特許文献１】特開平３−１７３１９８号公報
【発明の開示】
【発明が解決しようとする課題】
【００１４】
しかしながら、上記従来の表示装置及びこれを用いたリモコン送信機においては、図３に示すように、使用中に誤まって塵埃や糸屑１０等がリモコン送信機内に入り、保持部２の開口孔２Ａ内に侵入した場合、リモコン送信機を持ち運んだり操作する度にこれらが開口孔２Ａ内を移動するため、パネル６の透視部６Ａを通した表示素子３下面の表示面の視認が行ないづらくなる、という課題があった。
【００１５】
本発明は、このような従来の課題を解決するものであり、塵埃や糸屑１０等が侵入した場合にも表示素子３の視認がし易く、視認性の良好な表示装置、及びこれを用いたリモコン送信機を提供することを目的とする。
【課題を解決するための手段】
【００１６】
上記目的を達成するために本発明は、以下の構成を有するものである。
【００１７】
本発明の請求項１に記載の発明は、ケースの略箱型の保持部内底面に切欠部を設けると共に、この切欠部にケース裏面に貼付されたパネルに塗布した接着剤を延出させて表示装置を構成したものであり、使用中に誤まって塵埃や糸屑等が保持部の開口孔内に侵入した場合でも、切欠部に延出した接着剤に塵埃や糸屑等が付着し、持ち運んだり操作する度に開口孔内を移動することがないため、パネルの透視部を通した表示素子の視認を妨げることがなく、視認性の良好な表示装置を得ることができるという作用を有する。
【００１８】
請求項２に記載の発明は、請求項１記載の表示装置のケースに、表示素子に接続され複数のスイッチ接点が形成された配線基板を装着すると共に、この配線基板にスイッチ接点の電気的接離に応じてリモコン信号を送信する制御回路を形成してリモコン送信機を構成したものであり、視認性の良好なリモコン送信機を実現することができるという作用を有する。
【発明の効果】
【００１９】
以上のように本発明によれば、表示素子の視認性の良好な表示装置、及びこれを用いたリモコン送信機を実現することができるという有利な効果が得られる。
【発明を実施するための最良の形態】
【００２０】
以下、本発明の実施の形態について、図１及び図２を用いて説明する。
【００２１】
なお、背景技術の項で説明した構成と同一構成の部分には同一符号を付して、詳細な説明を簡略化する。
【００２２】
（実施の形態）
図１は本発明の一実施の形態による表示装置及びこれを用いたリモコン送信機の断面図、図２は同分解斜視図であり、同図において、１１は略箱状でポリスチレンやＡＢＳ等の絶縁樹脂製のケースで、底面に開口孔１２Ａを有する略箱型の保持部１２が設けられると共に、この保持部１２内底面には複数の切欠部１２Ｂが設けられ、ケース１１内底面には複数の貫通孔１１Ａが形成されている。
【００２３】
また、３は液晶等の表示素子で、上面端部には複数の電極３Ａが所定間隔で形成されると共に、表示素子３の外形よりもやや大きな形状に形成されたケース１１の保持部１２内に、下面の表示面が開口孔１２Ａから露出するように装着されている。
【００２４】
そして、４は紙フェノールやガラス入りエポキシ等の配線基板で、上下面に複数の配線パターン（図示せず）が形成されると共に、下面には配線パターンに接続された複数の導電部４Ａが所定間隔で設けられ、この配線基板４がケース１１上面を覆うように、ネジ等によってケース１１に装着固定されている。
【００２５】
また、５は弾性接続体で、シリコンゴム等にカーボン等を分散した導電層とシリコンゴム等の絶縁層が所定間隔で横方向に積層されて形成されると共に、この弾性接続体５が上下方向にやや撓んだ状態で配線基板４と表示素子３の間に装着され、導電層の上下端が導電部４Ａと電極３Ａに弾接することで、複数の導電部４Ａと電極３Ａが電気的に接続されている。
【００２６】
さらに、１６はシート状でポリカーボネート等の絶縁樹脂製のパネルで、透明な透視部１６Ａや複数の貫通孔１６Ｂ以外の上面には、文字や記号等が印刷されると共に、接着剤７が塗布され、この接着剤７によってパネル１６がケース１１裏面に、透視部１６Ａから表示素子３下面の表示面が視認可能なように貼付されて、表示装置が構成されている。
【００２７】
なお、ケース１１の保持部１２内底面には複数の切欠部１２Ｂが設けられているため、パネル１６上面に塗布された接着剤７がこの箇所から延出し、複数の露出部１６Ｃが形成されている。
【００２８】
また、８はケース１１内に収納されたシリコンゴムやエラストマー等の操作体で、上面にはカーボン等の複数の可動接点８Ａが形成されると共に、下面にはドーム状の複数の押圧部８Ｂが形成され、この押圧部８Ｂがケース１１の貫通孔１１Ａやパネル１６の貫通孔１６Ｂを通って、下方へ突出している。
【００２９】
そして、配線基板４下面には、操作体８の可動接点８Ａと所定の間隙を空けて対向する複数の固定接点４Ｂが設けられて、スイッチ接点が形成されると共に、発光ダイオード９Ａやマイコン（図示せず）等の電子部品が実装され、リモコン信号を送信する制御回路９が形成されて、リモコン送信機が構成されている。
【００３０】
以上の構成において、このリモコン送信機を電子機器に向け、例えば、電源用や音量切換用等の所定の押圧部８Ｂを押圧操作すると、この押圧部８Ｂの可動接点８Ａが固定接点４Ｂに接触してスイッチ接点の電気的接離が行なわれ、これに対応した赤外線のリモコン信号が制御回路９から電子機器へ送信されて、電子機器の電源の入／切や音量の増減等が遠隔操作によって行なわれる。
【００３１】
また、運転や録画等の開始時間や終了時間を設定する場合には、所定の押圧部８Ｂを押圧操作して、表示素子３に時間を表示して設定を行ない、この後、これらの時間をリモコン信号として電子機器へ送信し記憶させることによって、所定の時間になると電子機器の運転や録画等が開始されたり、終了するように構成されている。
【００３２】
なお、このようにリモコン送信機を使用している際、図１に示すように、誤まって塵埃や糸屑１０等がリモコン送信機内に入り、保持部１２の開口孔１２Ａ内に侵入した場合、リモコン送信機を持ち運んだり操作する度にこれらが開口孔１２Ａ内を移動して、パネル１６の透視部１６Ａを通した表示素子３下面の表示面の視認が行ないづらくなるが、ケース１１の保持部１２内底面には複数の切欠部１２Ｂが設けられると共に、塵埃や糸屑１０等が付着する露出部１６Ｃが形成されている。
【００３３】
つまり、開口孔１２Ａ内に侵入した塵埃や糸屑１０等は移動している間に、パネル１６上面に塗布された接着剤７が延出した切欠部１２Ｂの露出部１６Ｃに付着し、その後は開口孔１２Ａ内を移動しないため、表示素子３の視認が妨げられることのないように構成されている。
【００３４】
このように本実施の形態によれば、ケース１１の略箱型の保持部１２内底面に切欠部１２Ｂを設けると共に、この切欠部１２Ｂにケース１１裏面に貼付されたパネル１６に塗布した接着剤７を延出させることによって、使用中に誤まって塵埃や糸屑１０等が保持部１２の開口孔１２Ａ内に侵入した場合でも、接着剤７が延出した切欠部１２Ｂの露出部１６Ｃにこれらが付着し、持ち運んだり操作する度に開口孔内を移動することがないため、パネル１６の透視部１６Ａを通した表示素子３の視認を妨げることがなく、視認性の良好な表示装置及びこれを用いたリモコン送信機を得ることができるものである。
【００３５】
なお、図１及び図２に示すように、ケース１１の保持部１２に開口孔１２Ａへ通じる開口窓１２Ｃを設け、リモコン送信機を補修する際、この開口窓１２Ｃに空気を吹込むことによって、保持部１２に表示素子３を装着したままで、塵埃や糸屑１０等を除去したり、切欠部１２Ｂの露出部１６Ｃに付着させたりすることもできる。
【産業上の利用可能性】
【００３６】
本発明による表示装置は、表示素子の視認性の良好なものが得られ、テレビやビデオ、エアコン等の各種電子機器の遠隔操作に用いられるリモコン送信機等に有用である。
【図面の簡単な説明】
【００３７】
【図１】本発明の一実施の形態による表示装置とリモコン送信機の断面図
【図２】同分解斜視図
【図３】従来のリモコン送信機の断面図
【図４】同分解斜視図
【符号の説明】
【００３８】
３  表示素子
３Ａ  電極
４  配線基板
４Ａ  導電部
４Ｂ  固定接点
５  弾性接続体
７  接着剤
８  操作体
８Ａ  可動接点
８Ｂ  押圧部
９  制御回路
９Ａ  発光ダイオード
１０  糸屑
１１  ケース
１１Ａ  貫通孔
１２  保持部
１２Ａ  開口孔
１２Ｂ  切欠部
１２Ｃ  開口窓
１６  パネル
１６Ａ  透視部
１６Ｂ  貫通孔
１６Ｃ  露出部
【図１】
2005223386.tif 000003
【図２】
2005223386.tif 000004
【図３】
2005223386.tif 000005
【図４】
2005223386.tif 000006